(57)【要約】【課題】キーに割り当てられた処理を切り替え可能な電子機器において、キーに対するユーザの使い勝手を向上させた電子機器及びその制御方法、並びにプログラムを提供する。【解決手段】複数のキーと、カバーの開閉に応じて複数のキーの少なくとも一部に割り当てられた処理を切り替えることが可能な画像形成装置２００において、カバー開閉センサーが正常な状態でないと判別された場合に、複数のキーの一部を無効化するとともに、無効化されないキーが押下されたことに応じて、当該キーに割り当てられた処理を実行する。【選択図】図４
2015005816.tif 000002
【特許請求の範囲】
【請求項１】
複数のキーを備えた電子機器であって、
所定の操作に応じて前記複数のキーの少なくとも一部に割り当てられた処理を切り替える切替手段と、
前記切替手段が正常な状態であるか否か判別する判別手段と、
前記判別手段により前記切替手段が正常な状態でないと判別された場合に、前記複数のキーの一部を無効化する無効化手段と、
前記判別手段により前記切替手段が正常な状態でないと判別された場合に、前記複数のキーのうち前記無効化手段により無効化されないキーが押下されたことに応じて、当該キーに割り当てられた処理を実行する実行手段と
を備えたことを特徴とする電子機器。
【請求項２】
前記切替手段は、前記複数のキーを覆うカバーの開閉に応じて前記切り替えを行うことを特徴とする請求項１に記載の電子機器。
【請求項３】
前記無効化手段は、前記複数のキーのうち、所定の機能に関する処理が割り当てられたキーを無効化し、前記所定の機能以外の機能に関する処理が割り当てられたキーを無効化しないことを特徴とする請求項１または２に記載の電子機器。
【請求項４】
前記所定の機能は、画像データを送信する送信機能であることを特徴とする請求項３に記載の電子機器。
【請求項５】
前記所定の機能以外の機能は、コピー機能であることを特徴とする請求項３または４に記載の電子機器。
【請求項６】
前記無効化手段は、前記複数のキーのうち、割り当てられた処理が前記切替手段によって切り替えられるキーを無効化し、割り当てられた処理が前記切替手段によって切り替えられないキーを無効化しないことを特徴とする請求項１または２に記載の電子機器。
【請求項７】
複数のキーを備えた電子機器であって、
所定の操作に応じて前記複数のキーの少なくとも一部に割り当てられた処理を切り替える切替手段と、
前記複数のキーに含まれる第１のキーが押下された場合に、前記切替手段が正常な状態であるか否か判別する判別手段と、
前記判別手段により前記切替手段が正常な状態でないと判別された場合に、前記第１のキーに割り当てられた処理を実行せずにエラー画面を表示する表示手段と、
前記複数のキーのうち前記第１のキーと異なる第２のキーが押下された場合は、前記判別手段による判別を行うことなく、当該第２のキーに割り当てられた処理を実行する実行手段と
を備えたことを特徴とする電子機器。
【請求項８】
前記切替手段は、前記複数のキーを覆うカバーの開閉に応じて前記切り替えを行うことを特徴とする請求項７に記載の電子機器。
【請求項９】
前記第１のキーは、割り当てられた処理が前記切替手段によって切り替えられるキーであり、前記第２のキーは、割り当てられた処理が前記切替手段によって切り替えられないキーであることを特徴とする請求項７または８に記載の電子機器。
【請求項１０】
複数のキーと、所定の操作に応じて前記複数のキーの少なくとも一部に割り当てられた処理を切り替える切替手段と、を備えた電子機器の制御方法であって、
前記切替手段が正常な状態であるか否か判別する判別工程と、
前記判別工程で前記切替手段が正常な状態でないと判別された場合に、前記複数のキーの一部を無効化する無効化工程と、
前記判別工程で前記切替手段が正常な状態でないと判別された場合に、前記複数のキーのうち前記無効化工程で無効化されないキーが押下されたことに応じて、当該キーに割り当てられた処理を実行する実行工程と
を備えたことを特徴とする電子機器の制御方法。
【請求項１１】
複数のキーを備え、所定の操作に応じて前記複数のキーの少なくとも一部に割り当てられた処理を切り替える切替手段と、を備えた電子機器の制御方法であって、
前記複数のキーに含まれる第１のキーが押下された場合に、前記切替手段が正常な状態であるか否か判別する判別工程と、
前記判別工程で前記切替手段が正常な状態でないと判別された場合に、前記第１のキーに割り当てられた処理を実行せずにエラー画面を表示する表示工程と、
前記複数のキーのうち前記第１のキーと異なる第２のキーが押下された場合は、前記判別工程における判別を行うことなく、当該第２のキーに割り当てられた処理を実行する実行手段と
を備えたことを特徴とする電子機器の制御方法。
【請求項１２】
コンピュータを請求項１乃至９のいずれか１項に記載の電子機器の各手段として機能させるためのプログラム。
【発明の詳細な説明】
【技術分野】
【０００１】
本発明は、電子機器及びその制御方法、並びにプログラムに関する。
【背景技術】
【０００２】
開閉可能なカバーのついたキーに、カバーの開閉に応じて異なる処理を動的に割り当てる画像処理装置が知られている（例えば、特許文献１参照）。
【０００３】
さらに、カバーの開閉を検知するカバー開閉センサーの検知結果が正常でない場合（カバーの故障またはカバー開閉センサーの故障による）に、サービスエラーを発生させて装置を使用できなくするように構成されたものもある。このように使用を制限することで、画像処理装置がユーザの意図しない処理を実行すること（例えば、ユーザの意図しない宛先に誤って画像データをファックス送信すること）を防止することができる。
【先行技術文献】
【特許文献】
【０００４】
【特許文献１】特開２００１−３２０５５０号公報
【発明の概要】
【発明が解決しようとする課題】
【０００５】
しかしながら、カバー開閉センサーの検知結果が正常でない場合に、一律に装置に使用できないようにすると次のような問題が生じる。
【０００６】
即ち、ファクシミリ機能のように画像データを送信する機能は、誤った宛先に画像データを送信することで情報漏洩が発生する可能性があり、安全面からその機能を使用できないようにすることが望ましい。一方、コピー機能については、意図しない設定でコピーが実行されてしまう可能性はあるものの、上述した画像データの誤送信と比較するとリスクは小さい。それにも関わらず、カバー開閉センサーの検知結果が正常でない場合に、ファクシミリ機能とコピー機能を一律に使用できなくしてしまうことは、使い勝手を必要以上に落とすことになる。
【０００７】
また、そもそもカバーの開閉に関係のないキー（カバーを開閉しても割り当てられた機能が切り替えられないキー）があるにも関わらず、カバー開閉センサーの検知結果が正常でない場合に、装置全体を使用できなくしてしまうことは、やはり使い勝手が良くない。
【０００８】
本発明の目的は、キーに割り当てられた処理を切り替え可能な電子機器において、キーに対するユーザの使い勝手を向上させた電子機器及びその制御方法、並びにプログラムを提供することにある。
【課題を解決するための手段】
【０００９】
上記目的を達成するために、本発明の電子機器は、複数のキーを備えた電子機器であって、所定の操作に応じて前記複数のキーの少なくとも一部に割り当てられた処理を切り替える切替手段と、前記切替手段が正常な状態であるか否か判別する判別手段と、前記判別手段により前記切替手段が正常な状態でないと判別された場合に、前記複数のキーの一部を無効化する無効化手段と、前記判別手段により前記切替手段が正常な状態でないと判別された場合に、前記複数のキーのうち前記無効化手段により無効化されないキーが押下されたことに応じて、当該キーに割り当てられた処理を実行する実行手段とを備えたことを特徴とする。また、本発明の電子機器は、複数のキーを備えた電子機器であって、所定の操作に応じて前記複数のキーの少なくとも一部に割り当てられた処理を切り替える切替手段と、前記複数のキーに含まれる第１のキーが押下された場合に、前記切替手段が正常な状態であるか否か判別する判別手段と、前記判別手段により前記切替手段が正常な状態でないと判別された場合に、前記第１のキーに割り当てられた処理を実行せずにエラー画面を表示する表示手段と、前記複数のキーのうち前記第１のキーと異なる第２のキーが押下された場合は、前記判別手段による判別を行うことなく、当該第２のキーに割り当てられた処理を実行する実行手段とを備えたことを特徴とする。
【発明の効果】
【００１０】
本発明によれば、キーに割り当てられた処理を切り替え可能な電子機器において、キーに対するユーザの使い勝手を向上させることができる。
【図面の簡単な説明】
【００１１】
【図１】本発明の実施の形態に係る画像形成装置の概略構成を示す図である。
【図２】図１における操作パネルを構成するワンタッチキー周辺の外観を示す図である。
【図３】図２におけるカバーの開閉判別表を示す図である。
【図４】図１におけるＣＰＵにより実行される処理手順を示すフローチャートである。
【図５】図１におけるＣＰＵにより実行される処理手順を示すフローチャートである。
【発明を実施するための形態】
【００１２】
以下、本発明の実施の形態について図面を参照しながら詳述する。なお、以下の実施の形態では、本発明に係る電子機器を画像形成装置に適用した実施の形態について説明する。
【００１３】
図１は、本発明の実施の形態に係る画像形成装置２００の概略構成を示す図である。
【００１４】
図１において、画像形成装置２００は、ＣＰＵ２０１、ＲＯＭ２０２、ＲＡＭ２０３、ＮＩＣ（ネットワークインタフェースカード）２０４、パネルコントローラ２０５、ディスプレイコントローラ２０７、プリンタ部２１１、スキャナ部２１２、及びモデム２０９を備え、それらはシステムバス２１３で接続されている。
【００１５】
さらに、画像形成装置２００は、操作パネル２０６、ディスプレイ２０８、及びＮＣＵ（網制御ユニット）２１０を備えている。操作パネル２０６はパネルコントローラ２０５に接続され、ディスプレイ２０８はディスプレイコントローラ２０７に接続され、ＮＣＵ２１０はモデム２０９に接続されている。ＮＣＵ２１０は、ＰＳＴＮ（公衆回線網）２１５に接続している。
【００１６】
ＣＰＵ２０１は、システムバス２１３に接続される各デバイスを総括的に制御すると共に、ＲＯＭ２０２に記憶されたファームウェアモジュールを実行する。また、ＣＰＵ２０１は、制御プログラムとしてのファームウェアモジュールに基づき後述の各フローチャートに示す処理を実行する。ＲＡＭ２０３は、ＣＰＵ２０１によってワークエリアとして用いられる他に、画像データが記憶される。
【００１７】
パネルコントローラ２０５は、操作パネル２０６からの指示入力を制御する。操作パネル２０６は、テンキー、カーソルキー、ファクシミリ送信機能キー、コピー機能キー、ワンタッチキーなどで構成される。ワンタッチキーの詳細については後述する。
【００１８】
ディスプレイコントローラ２０７は、ユーザに情報を表示する表示手段としてのディスプレイ２０８での描画を制御する。ディスプレイ２０８は、例えば２２文字×５行の文字列、罫線、および、スクロールバーの表示が可能なＬＣＤである。
【００１９】
ＮＩＣ２０４は、ＬＡＮ２１４を介して、メールやファイルのサーバなどと双方向にデータのやり取りを行う。
【００２０】
モデム２０９は、ファクシミリ通信に必要な信号の変調や復調を行う。また、モデム２０９で変調された信号は、ＮＣＵ２１０を介してＰＳＴＮ２１５へ送出される。モデム２０９及びＮＣＵ２１０は、ファクシミリを送信する送信手段に対応する。
【００２１】
プリンタ部２１１は、電子写真方式で記録紙に画像形成を行う。スキャナ部２１２は、記録紙に形成されている画像の読み取りを行う。スキャナ部２１２には、オプションとしてオートドキュメントフィーダを装着してもよく、その場合、複数枚の原稿を自動的に読み取ることができる。
【００２２】
図２は、図１における操作パネル２０６を構成するワンタッチキー周辺の外観を示す図である。
【００２３】
図２（Ａ）は、ワンタッチキーのカバー１０を閉じた状態を示す俯瞰図である。
【００２４】
図２（Ａ）において、ワンタッチキーは、１４個の入力キーが配置されている。同図に示されるように、ファクシミリ機能に割り当てられたキーとコピー機能に割り当てられたキーとが設けられている。
【００２５】
ファクシミリ機能に割り当てられたキーは、左２列のキーであり、ワンタッチキーである「０１」〜「０５」に対応するキーや「アドレス帳」などに対応するキーである。一方、コピー機能に割り当てられたキーは、右１列のキーであり、「ページ集約」などに対応するキーである。
【００２６】
また、例えばワンタッチキー４は、カバー１０を閉じた状態ではワンタッチダイヤル番号「０１」を示す入力内容を入力するためのものであり、カバー１０を開けた状態ではワンタッチダイヤル番号「０６」を示す入力内容を入力するためのものである。そして、それぞれに宛先を登録できるようになっている。
【００２７】
図２（Ｂ）は、ワンタッチキーのカバー１０を開けた状態を示す俯瞰図である。
【００２８】
図２（Ｂ）において、外装１５はワンタッチキー群などを覆い、開口部１３、１４は外装１５に設けられている。そして、カバー１０の内側には、突起１１，１２が設けられている。
【００２９】
図２（Ｃ）は、ワンタッチキー周辺を横から見た断面図である。
【００３０】
図２（Ｃ）に示されるように、突起１２はカバー１０が閉じられたとき、開口部１３を通じてカバー開閉検知スイッチ５を押すように構成されている。
【００３１】
また、突起１１はカバー１０が閉じられたとき、開口部１４を通じてカバー開閉検知スイッチ６を押すように構成されている。
【００３２】
さらに、操作部基盤１６はカバー開閉検知スイッチ５，６を実装しており、カバー開閉検知スイッチ５，６の真上に開口部１３、１４が配置されている。
【００３３】
カバー開閉検知スイッチ５，６は、カバー１０が閉じて突起１１，１２に押下されたときの電気的オン状態と、カバー１０が開いて突起１１，１２に押下されないときの電気的オフ状態とを、パネルコントローラ２０５を介してＣＰＵ２０１に伝える。
【００３４】
上記構造から、カバー開閉検知スイッチ５，６が正常であれば、カバー１０が開いている状態では、いずれのカバー開閉検知スイッチ５，６もオフとなり、カバー１０が閉じている状態では、いずれのカバー開閉検知スイッチ５，６もオンとなる。
【００３５】
このように、本実施の形態に係る画像形成装置２００は、ユーザにより押下される複数のキーを備えている。そして、カバー１０とカバー開閉検知スイッチ５，６とが、所定の操作に応じて複数のキーの少なくとも一部に割り当てられた（キーがユーザにより押下されることで画像形成装置２００に入力される入力内容）を切り替える切替手段に対応している。
【００３６】
図３は、図２におけるカバー１０の開閉判別表を示す図である。
【００３７】
図３において、開閉判別表には、カバー開閉検知スイッチ５，６の各々のオンオフ状態と、カバー状態とが示されている。
【００３８】
同図に示されるように、カバー開閉検知スイッチ５，６がいずれもオフの場合には、「状態」に示されるように、カバー１０は開いている状態となる。また、カバー開閉検知スイッチ５，６がいずれもオンの場合には、「状態」に示されるように、カバー１０は閉じている状態となる。
【００３９】
一方、カバー開閉検知スイッチ５，６の各々の検知結果が異なる場合には、「状態」に示されるように、カバー開閉検知スイッチ５，６は正常な状態でない（故障状態である）と判別される。
【００４０】
例えば、カバー開閉検知スイッチ５が壊れて常にオンとなる場合、カバー１０を開いた状態では、カバー開閉検知スイッチ６がオフとなるため、カバー１０またはカバー開閉検知スイッチ５，６は故障状態と判別される。
【００４１】
なお、カバー開閉検知スイッチ５，６の故障としては接触不良などが挙げられ、カバー１０の故障としては、突起１１，１２の摩耗などが挙げられる。
【００４２】
この開閉判別表は、テーブルとしてＲＯＭ２０２に記憶されるか、開閉判別表に従って分岐するようにプログラムのＩＦ文やスイッチ文などを用いることで画像形成装置２００に実装される。
【００４３】
図４（Ａ）（Ｂ）、及び図５を用いて、図１におけるＣＰＵ２０１により実行される処理手順を説明する。
【００４４】
図４（Ａ）は、第１の処理手順を示すフローチャートである。
【００４５】
図４（Ａ）において、画像形成装置２００に備えられたいずれかのキーが押下されると（ステップＳ１０１でＹＥＳ）、カバー開閉検知スイッチ５，６の検知結果と、上記開閉判別表に従って、カバー開閉検知スイッチ５，６が正常な状態であるか否か判別する（ステップＳ１０２）。
【００４６】
ステップＳ１０２の判別の結果、カバー開閉検知スイッチ５，６が正常な状態でない場合には（ステップＳ１０２でＮＯ）、押下されたキーに割り当てられた機能がコピー機能であるか否か判別する（ステップＳ１０３）。
【００４７】
ステップＳ１０３の判別の結果、押下されたキーに割り当てられた機能がコピー機能である場合には（ステップＳ１０３でＹＥＳ）、押下されたキーに対応する処理を実行し（ステップＳ１０４）、本処理を終了する。
【００４８】
一方、ステップＳ１０３の判別の結果、押下されたキーに割り当てられた機能がコピー機能でない場合には（ステップＳ１０３でＮＯ）、誤った宛先にファクシミリを送信する可能性があるので、入力を無効化する。また、ディスプレイ２０８にサービスコールのためのエラー画面を表示して、画像形成装置２００を使用不可とし（ステップＳ１０６）、本処理を終了する。なお、ここでは、コピー機能でない場合は、ファクシミリ機能が割り当てられているものとする。
【００４９】
ステップＳ１０２の処理に戻り、ステップＳ１０２の判別の結果、カバー開閉検知スイッチ５，６が正常な状態である場合には（ステップＳ１０２でＹＥＳ）、ステップＳ１０５で通常の処理（押下されたキーに割り当てられた処理）を実行し、本処理を終了する。
【００５０】
なお、ここでは、カバー開閉検知スイッチ５，６が正常な状態でないと判別した場合にステップＳ１０３の判別を行う例を説明したが、次のように構成しても良い。即ち、ステップＳ１０１の後にステップＳ１０３の判別を行い、ステップＳ１０３でＮＯのときにステップＳ１０２の判別を行うようにしても構わない。この場合、ステップＳ１０２でＮＯと判別されるとステップＳ１０６に進む。また、ステップＳ１０３でＹＥＳの場合にはステップＳ１０４に進む。
【００５１】
図４（Ｂ）は、第２の処理手順を示すフローチャートである。
【００５２】
図４（Ｂ）において、画像形成装置２００に備えられたいずれかのキーが押下されると（ステップＳ２０１でＹＥＳ）、カバー開閉検知スイッチ５，６の検知結果と、上記開閉判別表に従って、カバー開閉検知スイッチ５，６が正常な状態であるか否か判別する（ステップＳ２０２）。
【００５３】
ステップＳ２０２の判別の結果、カバー開閉検知スイッチ５，６が正常な状態でない場合には（ステップＳ２０２でＮＯ）、ディスプレイ２０８にファクシミリ機能を使用するための画面が表示されているか否か判別する（ステップＳ２０３）。
【００５４】
ステップＳ２０３の判別の結果、ファクシミリ機能を使用するための画面ではなく、コピー機能を使用するための画面が表示されている場合には（ステップＳ２０３でＮＯ）、押下されたキーに対応する処理を実行し（ステップＳ２０４）、本処理を終了する。
【００５５】
一方、ファクシミリ機能を使用するための画面が表示されている場合には（ステップＳ２０３でＹＥＳ）、ワンタッチキーによる宛先入力を無効化する。また、ディスプレイ２０８にエラー画面を表示して（ステップＳ２０６）、本処理を終了する。
【００５６】
ステップＳ２０２の処理に戻り、ステップＳ２０２の判別の結果、カバー開閉検知スイッチ５，６が正常な状態である場合には（ステップＳ２０２でＮＯ）、ステップＳ２０５で通常の処理（押下されたキーに割り当てられた処理）を実行し、本処理を終了する。
【００５７】
なお、ここでは、カバー開閉検知スイッチ５，６が正常な状態でないと判別した場合にステップＳ２０３の判別を行う例を説明したが、次のように構成しても良い。即ち、ステップＳ２０１の後にステップＳ２０３の判別を行い、ステップＳ２０３でＮＯのときにステップＳ２０２の判別を行うようにしても構わない。この場合、ステップＳ２０２でＮＯと判別されるとステップＳ２０６に進む。また、ステップＳ２０３でＮＯの場合にはステップＳ２０４に進む。
【００５８】
図５は、第３の処理手順を示すフローチャートである。
【００５９】
図５において、画像形成装置２００に備えられたいずれかのキー（特にここではワンタッチキーに限らない）が押下されると（ステップＳ３０１でＹＥＳ）、カバー開閉検知スイッチ５，６の検知結果と、上記開閉判別表に従って、カバー開閉検知スイッチ５，６が正常な状態であるか否か判別する（ステップＳ３０２）。
【００６０】
ステップＳ３０２の判別の結果、カバー開閉検知スイッチ５，６が正常な状態でない場合には（ステップＳ３０２でＮＯ）、押下されたキーが、カバーの開閉に応じて割り当てられた機能が切り替えられるキーであるか否か判別する（ステップＳ３０３）。
【００６１】
ステップＳ３０３の判別の結果、押下されたキーが、カバーの開閉に応じて割り当てられた機能が切り替えられるキーでない場合には（ステップＳ３０３でＮＯ）、押下されたキーに対応する処理を実行し（ステップＳ３０４）、本処理を終了する。
【００６２】
一方、ステップＳ３０３の判別の結果、押下されたキーが、カバーの開閉に応じて割り当てられた機能が切り替えられるキーである場合には（ステップＳ３０３でＹＥＳ）、誤った処理を実行する可能性があるので、入力を無効化する。また、ディスプレイ２０８にサービスコールのためのエラー画面を表示して、画像形成装置２００を使用不可とし（ステップＳ３０６）、本処理を終了する。
【００６３】
ステップＳ３０２の処理に戻り、ステップＳ３０２の判別の結果、カバー開閉検知スイッチ５，６が正常な状態である場合には（ステップＳ３０２でＹＥＳ）、ステップＳ３０５で通常の処理（押下されたキーに割り当てられた処理）を実行し、本処理を終了する。
【００６４】
なお、ここでは、カバー開閉検知スイッチ５，６が正常な状態でないと判別した場合にステップＳ３０３の判別を行う例を説明したが、次のように構成しても良い。即ち、ステップＳ３０１の後にステップＳ３０３の判別を行い、ステップＳ３０３でＮＯのときにステップＳ３０２の判別を行うようにしても構わない。この場合、ステップＳ３０２でＮＯと判別されるとステップＳ３０６に進む。また、ステップＳ３０３でＮＯのときにステップＳ３０４に進む。
【００６５】
以上説明した実施の形態では、故障を検出するため、２つのカバー開閉検知スイッチを備えたが、例えば、カバーが開いていればプラス、閉じていればマイナスの電位を示し、かつ、故障の場合は出力がゼロになるようなカバー開閉検知センサーを用いてもよい。
【００６６】
また、本実施の形態では、コピー機能とファクシミリ機能とでワンタッチキーが供用されている場合について示したが、コピー機能以外の機能とワンタッチキーが供用されている場合にも、本実施の形態は適用可能である。コピー機能以外の機能としては、画像形成装置の一般的な機能である電話回線を捕捉したり保留したりするダイヤル機能や、押下された宛先にメール送信する送信機能などがある。
【００６７】
また、上述の説明ではカバーの開閉によりワンタッチキーに割り当てられた処理を切り替えるようにしたが、シフトキーを別途設け、シフトキーが押下されたか否かに応じて異なる処理を動的に切り替えるようにしても良い。
【００６８】
本実施の形態では、電子機器を画像形成装置に適用した例について説明したが、キーがユーザにより押下されることで電子機器に入力される入力内容を切り替える切り替え手段を備えた電子機器であれば適用可能である。
【００６９】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００７０】
５，６  カバー開閉検知スイッチ
１０  カバー
１１，１２  突起
２００  画像形成装置
２０１  ＣＰＵ
２０２  ＲＯＭ
２０３  ＲＡＭ
【図１】
2015005816.tif 000003
【図２】
2015005816.tif 000004
【図３】
2015005816.tif 000005
【図４】
2015005816.tif 000006
【図５】
2015005816.tif 000007